(57)【要約】【課題】  大きな壷は飾りとしか使えず、運ぶのも大変で、場所を取るだけだった。また、数が揃った食器のセットは置く場所に困った。【解決手段】  壷を複数のパーツに分け、組み立てられるようにする。その中には食器のセットが収納でき、壷のパーツ自体も食器となり使うことができる。また、パーツに分けて運ぶことを可能にすることによって、持ち運びも簡単にする。【選択図】図２
0003141236.tif 000002
【実用新案登録請求の範囲】
【請求項１】
数が揃っている食器を重ね、さらに大きな食器に収納し、その食器を組み立てると壷になる食器のセット。
【考案の詳細な説明】
【技術分野】
【０００１】  本考案は、食器を収納することができ、組み合わせると壷になるパーツと、食器セットにした、壷型食器セットに関するものである。
【背景技術】
【０００２】  従来、飾りの壷は重たく、運びにくかった。インテリアとしての要素しかなく、場所を取るだけだった。また、時々しか使わないお客様用の食器は、数も揃っているので、収納場所に困った。
【考案の開示】
【考案が解決しようとする課題】
【０００３】  本考案は、このような問題を解決しようとするものであり、飾りとしてしか機能しなかった壷をパーツに分け、運びやすくし、中に食器を収納できる機能を兼ね備えた壷を提供する。従来の壷とは違い、分けて運べることを特徴とする。
インテリアになり、食器になり、食器等を収納することができる。
【課題を解決するための手段】
【０００４】  本考案は上記目的を達成する為に飾りの壷を組み立て可能な４つの構造にし、中へ入れる食器は壷に収納できるサイズのものを提供する。
【考案の効果】
【０００５】  壷に数が揃った食器を収納できることにより、スペースの節約になる。
壷自体も分解できるので運ぶのが楽になり、危険が少ない。
壷のパーツは食器としても使える。【０００６】  本考案は、壷をインテリアの置物としての用途以外にも活用することができる。収納グッズとしても機能し、壷自体も食器となる。
【考案を実施するための最良の形態】
【０００７】  本考案の形態を図面に基づいて説明する。【０００８】  図１において、従来の壷とは異なり４つのパーツに分けられる。
１，２，３，４を組み立てると一つの壷となる。
バラバラに食器として使用することも可能。組み立てる順番を変えることはできない。【０００９】  図２において、４内には鉢５個重ねて入れることができる。
８は６の食器を容易に取り出す為の巾着バック。取手があり、２の蓋をはずしてから取り出すことができる。【００１０】  図３において、１，２，３，４の積み重ね方について説明する。
１は２の高台に引っ掛ける。２は逆さにし、３の縁と２の縁をつなぎ合わせる。
３は４にのせる。
【図面の簡単な説明】
【００１１】
【図１】  斜視図
【図２】  側面図
【図３】  断面図
【図４】  １壷パーツ兼鉢斜視図
【図５】  ３壷パーツ兼鉢斜視図
【図６】  ２，４壷パーツ兼どんぶり斜視図
【図７】  ８巾着バック斜視図
【符号の説明】
【００１２】  １  壷パーツ兼鉢
２  壷パーツ兼どんぶり
３  壷パーツ兼鉢
４  壷パーツ兼どんぶり
５  鉢
６  皿
７  鉢
８  巾着バック
【図１】
0003141236.tif 000003
【図２】
0003141236.tif 000004
【図３】
0003141236.tif 000005
【図４】
0003141236.tif 000006
【図５】
0003141236.tif 000007
【図６】
0003141236.tif 000008
【図７】
0003141236.tif 000009
【手続補正書】
【提出日】平成20年1月25日(2008.1.25)
【手続補正１】
【補正対象書類名】実用新案登録請求の範囲
【補正対象項目名】全文
【補正方法】変更
【補正の内容】
【実用新案登録請求の範囲】
【請求項１】
中皿（５枚）、小鉢（５客）、中鉢（５客）、丼（２個）、深大鉢（１客）、深中鉢（１客）で構成され、中皿、小鉢、中鉢を重ねて深大鉢、丼の中に収納する。中鉢を収納した丼の上に中皿、小皿を収納した深大鉢をのせ、さらに逆さにした丼を重ねその上に深中鉢をのせる。そうして組み立てたものが一つの大きな壷に見える食器のセット。
【手続補正２】
【補正対象書類名】明細書
【補正対象項目名】全文
【補正方法】変更
【補正の内容】
【考案の詳細な説明】
【技術分野】
【０００１】  本考案は、中皿、小鉢、中鉢、丼、深大鉢、深中鉢で構成され、大きい食器の中に小さい食器を収納し、組み立てる。その様が一つの大きな壷に見える食器のセットに関するものである。
【背景技術】
【０００２】  従来、飾るだけの大きな壷は重く、運びにくかった。インテリアとしての要素しかなく、場所を取るだけであった。また、時々しか使わない、お客様用の食器は、数が揃っている為、収納場所に困っていた。
【考案の開示】
【考案が解決しようとする課題】
【０００３】  本考案は、このような問題を解決しようとするものであり、その目的とするところは、インテリアとしての機能のみであった壷を、数種類の食器のパーツに分け、中に食器の収納ができ、運びやすくする機能を兼ね備えた食器のセットを提供することにある。
【課題を解決するための手段】
【０００４】  本考案は上記目的を達成する為に、中皿（５枚）、小鉢（５客）、中鉢（５客）、丼（２個）、深大鉢（１客）、深中鉢（１客）で構成する。まず、中皿（５枚）を重ね、その上に小鉢（５客）を逆さに重ねる。それらを巾着バックにいれ、深大鉢に入れる。中鉢（５客）を重ね、丼に収納し、中鉢を収納した丼の上に、中皿と小鉢を収納した深大鉢をのせ、さらに逆さにした丼を重ねその上に深中鉢をのせる。中へ入れる中皿、小鉢、中鉢のセットは壷のパーツとなる深大鉢と丼に収納できるサイズのものを提供する。中皿、小鉢、中鉢、丼、深大鉢、深中鉢のパーツに分け、運びやすくし、中に食器を収納できる機能を兼ね備えた、組み立てると壷になるセットを提供する。
【考案の効果】
【０００５】  上記の記載より、数の揃った食器を壷のパーツ内に収納でき、スペースを節約することが可能である。また、壷自体を分解できるので、分けて運ぶことができる。
【考案を実施するための最良の形態】
【０００６】  本考案は、壷をインテリアの置物としての用途以外にも活用することができる。
収納グッズとしても機能し、壷のパーツ自体も食器となる。【０００７】  本考案の形態を図面に基づいて説明する。【０００８】  図１において従来の壷とは異なり４つのパーツに分けられる。
深中鉢１、丼２、深大鉢３、丼４を組み立てると一つの壷となる。
バラバラに分けて食器として使用することも可能。組み立てる順番を変えることはできない。【０００９】  図２において、丼４内には中鉢５（５客）を重ねて入れることができる。深大鉢３の中には、中皿６（５枚）を重ね、その上に小鉢７（５客）を逆さに重ねて入れた巾着バック８が入る。【００１０】  図３において、深中鉢１、丼２、深大鉢３、丼４の積み重ね方について説明する。
まず、丼４の縁に深大鉢３の高台がはまるようにする。丼２は逆さにし、深大鉢３の縁と丼２の縁をつなぎ合わせる。深中鉢１は丼２の高台に引っ掛ける。
【図面の簡単な説明】
【００１１】
【図１】斜視図
【図２】側面図
【図３】断面図
【図４】深中鉢１斜視図
【図５】深大鉢３斜視図
【図６】丼２，丼４斜視図
【図７】巾着バック８斜視図
【符号の説明】
【００１２】１    深中鉢
２    丼
３    深大鉢
４    丼
５    中鉢
６    中皿
７    小鉢
８    巾着バック
【手続補正３】
【補正対象書類名】図面
【補正対象項目名】全図
【補正方法】変更
【補正の内容】
【図１】
0003141236.tif 000010
【図２】
0003141236.tif 000011
【図３】
0003141236.tif 000012
【図４】
0003141236.tif 000013
【図５】
0003141236.tif 000014
【図６】
0003141236.tif 000015
【図７】
0003141236.tif 000016